(57)【要約】【課題】機器を管理するための管理地図の作成作業を簡便に行うことができ、利便性を向上させる。【解決手段】機器の設置場所の地図情報を記憶する地図情報記憶部１１０と、地理情報記憶部１２０と、管理地図記憶部１３０と、機器から機器の位置情報と機器識別情報とを受信して、位置情報と機器識別情報とを対応付けた地理情報を地理情報記憶部１２０に保存する受信部１０１と、地図情報記憶部１１０から地図情報を取得する地図情報取得部１０３と、地理情報記憶部１２０から地理情報を取得する地理情報取得部１０４と、取得した地図情報に、取得した地理情報とを関連付けて機器管理地図として管理地図記憶部１３０に登録する登録制御部１０５と、を備える。【選択図】図２
2014056284.tif 000002
【特許請求の範囲】
【請求項１】
ネットワークを介して接続された機器の管理を行う機器管理装置において、
前記機器の設置場所を表した地図情報を記憶する地図情報記憶手段と、
地理情報記憶手段と、
管理情報記憶手段と、
前記機器から、前記機器の位置を示す位置情報と前記機器を識別するための機器識別情報とを受信し、受信した前記位置情報と前記機器識別情報とを対応付けて地理情報として前記地理情報記憶手段に保存する受信手段と、
前記地図情報記憶手段に記憶されている前記地図情報に、前記地理情報記憶手段に記憶されている前記地理情報を関連付けて機器管理情報として前記管理情報記憶手段に登録する登録制御手段と、
を備えることを特徴とする機器管理装置。
【請求項２】
前記機器識別情報を指定する指定入力を受け付ける入力受付手段をさらに備え、
前記登録制御手段は、前記指定入力を受け付けた場合、前記地図情報記憶手段に記憶されている前記地図情報に、前記地理情報記憶手段に記憶されている前記地理情報を関連付けて前記機器管理情報として前記管理情報記憶手段に登録することを特徴とする請求項１に記載の機器管理装置。
【請求項３】
受信手段は、前記機器から、前記機器の位置が変更した旨を示す変更情報と、変更された前記機器の前記位置情報と、前記機器の前記機器識別情報とを受信し、受信した変更された前記機器の前記位置情報を前記地理情報記憶手段に保存し、
前記登録制御手段は、前記変更情報を受信した場合、変更された前記機器の前記位置情報によって、前記管理情報記憶手段に記憶された前記機器管理情報を更新することを特徴とする請求項１または２に記載の機器管理装置。
【請求項４】
機器の管理を行う機器管理システムにおいて、
前記機器の設置場所を表した地図情報を記憶する地図情報記憶手段と、
地理情報記憶手段と、
管理情報記憶手段と、
前記機器から、前記機器の位置を示す位置情報と前記機器を識別するための機器識別情報とを受信し、受信した前記位置情報と前記機器識別情報とを対応付けて地理情報として前記地理情報記憶手段に保存する受信手段と、
前記地図情報記憶手段に記憶されている前記地図情報に、前記地理情報記憶手段に記憶されている前記地理情報を関連付けて機器管理情報として前記管理情報記憶手段に登録する登録制御手段と、
を備えることを特徴とする機器管理システム。
【請求項５】
前記機器識別情報を指定する指定入力を受け付ける入力受付手段をさらに備え、
前記登録制御手段は、前記指定入力を受け付けた場合、前記地図情報記憶手段に記憶されている前記地図情報に、前記地理情報記憶手段に記憶されている前記地理情報を関連付けて前記機器管理情報として前記管理情報記憶手段に登録することを特徴とする請求項４に記載の機器管理システム。
【請求項６】
前記機器の電源が投入された場合、前記位置情報を取得する位置情報取得手段と、
前記機器の前記位置情報が変更されたか否かを判断する判断手段と、
前記機器の前記位置情報が変更された場合、変更された前記機器の前記位置情報を前記地理情報記憶手段に保存する保存手段と、をさらに備え、
前記登録制御手段は、変更された前記機器の前記位置情報によって、前記管理情報記憶手段に記憶された前記機器管理情報を更新することを特徴とする請求項４または５に記載の機器管理システム。
【請求項７】
機器の設置場所を表した地図情報を記憶する地図情報記憶手段と、地理情報記憶手段と、管理情報記憶手段と、を備えたコンピュータを、
前記機器から、前記機器の位置を示す位置情報と前記機器を識別するための機器識別情報とを受信し、受信した前記位置情報と前記機器識別情報とを対応付けて地理情報として前記地理情報記憶手段に保存する受信手段と、
前記地図情報記憶手段に記憶されている前記地図情報に、前記地理情報記憶手段に記憶されている前記地理情報を関連付けて機器管理情報として前記管理情報記憶手段に登録する登録制御手段と、
して機能させるための機器管理プログラム。
【発明の詳細な説明】
【技術分野】
【０００１】
本発明は、機器管理装置、機器管理システム、および機器管理プログラムに関する。
【背景技術】
【０００２】
従来、プリンタなどの機器が設置されると、管理者が事前に用意した地図情報において機器の設置場所を特定し、機器の画像を重ねた管理地図などを作成する機器管理システムが既に知られている。このような機器管理システムにより、利用者は、当該管理地図を参照して所望する機器を選択することが可能となる。
【０００３】
例えば、特許文献１には、プリンタが緯度・経度などの地理的な設置位置（位置情報）を自ら認識し、印刷を指示するコンピュータがプリンタからその位置情報を取得し、取得したプリンタの位置情報により印刷させるプリンタの特定を行なう印刷システムが開示されている。これにより、ネットワーク上のプリンタの管理が簡便なものとなり、利用者は、所望の位置のプリンタで印刷を行なうことができる。
【発明の概要】
【発明が解決しようとする課題】
【０００４】
しかしながら、上述したような機器管理システムでは、膨大な機器が設置された大規模なオフィスなどの管理地図を作成する場合、地図を表示する画像ファイルを開いて、地図情報における機器ごとの設置場所に手作業で一台ずつ機器の画像を重ねてマッピングするため、作業が煩雑となるという問題があった。
【０００５】
本発明は、上記に鑑みてなされたものであって、機器を管理するための管理地図の作成作業を簡便に行うことができ、利便性を向上させる機器管理装置、機器管理システム、および機器管理プログラムを提供することを目的とする。
【課題を解決するための手段】
【０００６】
上述した課題を解決し、目的を達成するために、本発明は、ネットワークを介して接続された機器の管理を行う機器管理装置において、前記機器の設置場所を表した地図情報を記憶する地図情報記憶手段と、地理情報記憶手段と、管理情報記憶手段と、前記機器から、前記機器の位置を示す位置情報と前記機器を識別するための機器識別情報とを受信し、受信した前記位置情報と前記機器識別情報とを対応付けて地理情報として前記地理情報記憶手段に保存する受信手段と、前記地図情報記憶手段に記憶されている前記地図情報に、前記地理情報記憶手段に記憶されている前記地理情報を関連付けて機器管理情報として前記管理情報記憶手段に登録する登録制御手段と、を備えることを特徴とする。
【０００７】
また、本発明は、機器の管理を行う機器管理システムにおいて、前記機器の設置場所を表した地図情報を記憶する地図情報記憶手段と、地理情報記憶手段と、管理情報記憶手段と、前記機器から、前記機器の位置を示す位置情報と前記機器を識別するための機器識別情報とを受信し、受信した前記位置情報と前記機器識別情報とを対応付けて地理情報として前記地理情報記憶手段に保存する受信手段と、前記地図情報記憶手段に記憶されている前記地図情報に、前記地理情報記憶手段に記憶されている前記地理情報を関連付けて機器管理情報として前記管理情報記憶手段に登録する登録制御手段と、を備えることを特徴とする。
【０００８】
また、本発明は、機器の設置場所を表した地図情報を記憶する地図情報記憶手段と、地理情報記憶手段と、管理情報記憶手段と、を備えたコンピュータを、前記機器から、前記機器の位置を示す位置情報と前記機器を識別するための機器識別情報とを受信し、受信した前記位置情報と前記機器識別情報とを対応付けて地理情報として前記地理情報記憶手段に保存する受信手段と、前記地図情報記憶手段に記憶されている前記地図情報に、前記地理情報記憶手段に記憶されている前記地理情報を関連付けて機器管理情報として前記管理情報記憶手段に登録する登録制御手段と、して機能させる。
【発明の効果】
【０００９】
本発明によれば、機器を管理するための管理地図の作成作業を簡便に行うことができ、利便性を向上させることができるという効果を奏する。
【図面の簡単な説明】
【００１０】
【図１】図１は、実施の形態にかかる機器管理システムの構成図である。
【図２】図２は、実施の形態にかかる機器管理サーバおよびＭＦＰの構成を示すブロック図である。
【図３】図３は、地理ＤＢの一例を示す図である。
【図４】図４は、機器管理地図の一例を示す図である。
【図５】図５は、実施の形態にかかる機器管理サーバにおける機器管理地図の作成処理の流れを示すフローチャートである。
【図６】図６は、実施の形態にかかるＭＦＰにおける機器管理地図の更新処理の流れを示すフローチャートである。
【図７】図７は、実施の形態にかかる機器管理サーバにおける機器管理地図の更新処理の流れを示すフローチャートである。
【図８】図８は、実施の形態にかかる機器管理サーバのハードウェア構成を示す説明図である。
【発明を実施するための形態】
【００１１】
以下に添付図面を参照して、機器管理装置、機器管理システム、および機器管理プログラムの実施の形態を詳細に説明する。以下の実施の形態では、本発明の機器管理装置が管理する機器を、コピー機能、プリンタ機能、スキャナ機能およびファクシミリ機能のうち少なくとも２つの機能を有するＭＦＰ（Multi  Function  Printer：複合機）、プリンタ、およびプロジェクタに適用した例を挙げて説明するが、複写機、スキャナ装置、ファクシミリ装置等のネットワークを介して接続される機器であればいずれの機器にも適用することができる。
【００１２】
本実施の形態の機器管理システムでは、上述したように、管理地図を作成する際における煩雑な作業を低減させ、管理地図の作成作業を簡便行うことができ、利便性を向上させるものである。
【００１３】
また、機器の物理的な位置は変更されるため、管理者は、機器の物理的な位置が変更される度に、作成した管理地図を開いて、機器の位置を修正しなければならない。この管理者による機器の管理が十分に行なわれなければ、管理地図が示す機器の位置と、実際に設置されている機器の位置とが一致しないことになってしまう。つまり、管理地図が示す機器があるべき場所に機器が設置されていなかったり、機器がないはずの場所に機器が設置されていることになってしまう。そうなると、利用者は管理地図を参考にして、データを印刷したが、実際の機器の設置場所が不明となり、印刷物を紛失してしまう可能性などもあり、管理地図の精確性が低下してしまうという問題もあった。そこで、本実施の形態の機器管理システムは、管理地図の精確性と利便性を向上させるものである。
【００１４】
図１は、実施の形態にかかる機器管理システムの構成図である。図１に示すように、本実施の形態の機器管理システムは、機器管理サーバ（機器管理装置）１００と、ＭＦＰ２００と、プリンタ３００と、プロジェクタ４００とがネットワーク５０を介して接続されている。機器管理サーバ１００は、ＭＦＰ２００、プリンタ３００、およびプロジェクタ４００などの機器の設置位置を管理するものである。
【００１５】
図２は、実施の形態にかかる機器管理サーバおよびＭＦＰの構成を示すブロック図である。図２では、機器としてＭＦＰ２００が機器管理サーバ１００に接続された例を示しているが、プリンタ３００、プロジェクタ４００についても図２に示すＭＦＰ２００の機能と同様の機能を備えている。
【００１６】
まず、機器管理サーバ１００について説明する。機器管理サーバ１００は、地図情報記憶部１１０と、地理情報記憶部１２０と、管理地図記憶部１３０と、受信部１０１と、入力受付部１０２と、地図情報取得部１０３と、地理情報取得部１０４と、登録制御部１０５とを主に備えている。
【００１７】
地図情報記憶部１１０は、各機器の設置場所を一定の縮尺で表した地図情報を記憶するＨＤＤ（Hard  Disk  Drive）やメモリ等の記憶媒体である。地図情報記憶部１１０に記憶された地図情報は、管理者等が定期的に登録（更新）するように構成してもよい。
【００１８】
また、本実施の形態では、機器管理サーバの内部に地図情報記憶部を備えた構成としたが、機器管理サーバにネットワークを介して接続された地図情報を管理する地図情報管理サーバを備え、当該地図情報管理サーバから地図情報を取得するような構成としてもよい。
【００１９】
地理情報記憶部１２０は、各機器において、機器の位置を示す位置情報である座標（緯度、経度）および設置場所と、機器に固有の機器識別情報であるＭＡＣアドレス（Media  Access  Control  address）およびＩＰアドレス（Internet  Protocol  address）とを対応付けた地理情報をレコードとして登録した地理データベース（以下、「地理ＤＢ」という。）を記憶するＨＤＤやメモリ等の記憶媒体である。具体的な地理ＤＢを図３に示す。
【００２０】
図３は、地理ＤＢの一例を示す図である。図３に示すように、地理ＤＢには、「ＭＦＰ２００」などの機器識別情報である機器名と、「７０−Ｆ３−９５−０６−０Ｂ−○○」などの機器識別情報であるＭＡＣアドレスと、「１９２．１６８．１．○○○」などの機器識別情報であるＩＰアドレスと、「（Ｘ１，Ｙ１）」などの座標（緯度、経度）により示した機器の位置情報と、「２Ｆ開発室」などの屋内における設置場所により示した機器の位置情報とが対応付けられた地理情報が一つのレコードとして複数登録されている。
【００２１】
管理地図記憶部１３０は、地図情報記憶部１１０に記憶されている地図情報と、地理情報記憶部１２０に記憶されている地理情報とを関連付けた機器管理地図（機器管理情報）を記憶するＨＤＤやメモリ等の記憶媒体である。
【００２２】
図４は、機器管理地図の一例を示す図である。図４に示すように、機器管理地図は、地図情報上に機器の設置位置を示し、当該機器の機器名（「ＭＦＰ２００」など）と、座標など（「（Ｘ１，Ｙ１）」など）や設置場所（「２Ｆ開発室」など）の位置情報とを記すことで、地図情報と地理情報を関連付けた地図（情報）である。このように、機器管理地図では、座標である緯度、経度により各機器が平面におけるいずれの位置にあるかを関連付け、設置場所により各機器がいずれの階数（高さ）にあるかを関連付けることができる。すなわち、機器管理地図では、各機器を３次元の位置情報により関連付けることができる。
【００２３】
受信部１０１は、各機器から、ＳＮＭＰ（Simple  Network  Management  Protocol）やＷｅｂ  ｓｅｒｖｉｃｅなどを用いて、位置情報である座標および設置場所と、機器識別情報であるＭＡＣアドレスおよびＩＰアドレスとを受信し、受信した位置情報と、ＭＡＣアドレスと、ＩＰアドレスとを対応付けて地理情報記憶部１２０の地理ＤＢに保存するものである。
【００２４】
また、受信部１０１は、各機器から、機器の位置が変更した旨を示す変更情報と、変更された機器の位置情報と、機器の機器識別情報であるＭＡＣアドレスおよびＩＰアドレスとを受信し、受信した変更された機器の位置情報を、機器のＭＡＣアドレスおよびＩＰアドレスに対応付けて、地理情報として、地理情報記憶部１２０の地理ＤＢに保存して、地理ＤＢを更新する。
【００２５】
入力受付部１０２は、ＭＡＣアドレスを指定する指定入力を受け付けるものである。本実施の形態では、機器識別情報の指定入力をＭＡＣアドレスにより行っているが、ＩＰアドレスによる指定入力であっても、ＭＡＣアドレスおよびＩＰアドレスによる指定入力であってもよい。
【００２６】
地図情報取得部１０３は、入力受付部１０２によりＭＡＣアドレスの指定入力を受け付けた場合、地図情報記憶部１１０から地図情報を取得するものである。
【００２７】
地理情報取得部１０４は、入力受付部１０２によりＭＡＣアドレスの指定入力を受け付けた場合、地理情報記憶部１２０の地図ＤＢから、受け付けたＭＡＣアドレスをキーとして地理情報を検索して検索された地理情報を取得するものである。
【００２８】
登録制御部１０５は、地図情報取得部１０３により取得した地図情報に、地理情報取得部１０４により取得した地理情報を関連付けた機器管理地図を作成し、管理地図記憶部１３０に登録（保存）するものである。すなわち、登録制御部１０５は、地図情報上において、指定入力を受け付けたＭＡＣアドレスに対応する座標および設置場所により機器の位置を特定し、特定した場所に指定入力を受け付けたＭＡＣアドレスに対応する機器を配置することで、機器管理地図を作成する。
【００２９】
また、登録制御部１０５は、各機器から、変更情報と、変更された位置情報と、機器識別情報であるＭＡＣアドレスおよびＩＰアドレスとを受信した場合、管理地図記憶部１３０に記憶された機器管理地図を取得し、受信した変更された位置情報により機器管理地図における機器の位置を更新し、更新された機器管理地図を管理地図記憶部１３０に登録する。
【００３０】
機器管理サーバ１００における上記構成は、単一装置内に限らず、ネットワークに接続された各機能を搭載した装置などに実装させることで分散させるように構成してもよい。
【００３１】
次に、ＭＦＰ２００について説明する。ＭＦＰ２００は、位置情報記憶部２１０と、位置情報取得部２０１と、判断部２０２と、送信部２０３と、画像形成部２０４とを主に備えている。
【００３２】
位置情報記憶部２１０は、位置情報取得部２０１により取得された位置情報を記憶するＨＤＤやメモリ等の記憶媒体である。
【００３３】
位置情報取得部２０１は、ＭＦＰ２００の電源が投入された場合、ＧＰＳ（Global  Positioning  System）などの測位システムにより自装置（この場合、ＭＦＰ２００）の位置情報である座標（緯度、経度）を取得するものである。なお、ここでは、一例としてＧＰＳにより座標を取得しているが、これに限定されることなく、他の方法により座標を取得する構成としてもよい。また、位置情報である機器の設置場所は、例えば、機器の移動などを管理する管理者が機器を移動した際に該機器に入力することで取得する。また、位置情報取得部２０１は、判断部２０２により位置情報が変更されたと判断された場合、取得した位置情報を位置情報記憶部２１０に保存し、自装置の位置情報を更新する。
【００３４】
判断部２０２は、位置情報取得部２０１により位置情報が取得されると、位置情報記憶部２１０に記憶されている位置情報と、取得された位置情報とが同じか否かを比較することで、位置情報が変更されたか否か（機器の位置が変更されたか否か）を判断するものである。
【００３５】
送信部２０３は、判断部２０２により、位置情報が変更されたと判断された場合、機器（自装置）の位置が変更した旨を示す変更情報と、変更された位置情報と、機器識別情報であるＭＡＣアドレスおよびＩＰアドレスとを、機器管理サーバ１００に送信するものである。
【００３６】
画像形成部２０４は、ＰＣ（Personal  computer）などから送信された画像データを、記録媒体に印刷するものである。
【００３７】
次に、本実施の形態の機器管理システムによる機器管理地図の作成処理について説明する。図５は、実施の形態にかかる機器管理サーバにおける機器管理地図の作成処理の流れを示すフローチャートである。
【００３８】
まず、受信部１０１は、ＭＦＰ２００、プリンタ３００、またはプロジェクタ４００などの機器から、位置情報、ＭＡＣアドレス、およびＩＰアドレスを受信すると（ステップＳ１０）、受信した位置情報と、ＭＡＣアドレスと、ＩＰアドレスとを対応付けた地理情報を地理情報記憶部１２０の地理ＤＢに保存する（ステップＳ１１）。
【００３９】
地図情報取得部１０３および地理情報取得部１０４は、入力受付部１０２により利用者からのＭＡＣアドレスの指定入力を受け付けたか否かを判断する（ステップＳ１２）。指定入力を受け付けていない場合（ステップＳ１２：Ｎｏ）、受け付けるまで待機する。
【００４０】
一方、指定入力を受け付けた場合（ステップＳ１２：Ｙｅｓ）、地図情報取得部１０３は、地図情報記憶部１１０から地図情報を取得し（ステップＳ１３）、地理情報取得部１０４は、地理情報記憶部１２０から指定入力を受け付けたＭＡＣアドレスを含む地理情報を取得する（ステップＳ１４）。
【００４１】
登録制御部１０５は、取得した地図情報に取得した地理情報を関連付けた機器管理地図を作成し（ステップＳ１５）、作成した機器管理地図を管理地図記憶部１３０に登録する（ステップＳ１６）。このとき、複数回のＭＡＣアドレスの指定入力を受け付けた場合は、複数の機器の地理情報を関連付けた機器管理地図が作成されることになる。
【００４２】
このように、本実施の形態の機器管理システムでは、管理対象の機器から位置情報や機器識別情報を受信し保存した後、指定入力を受け付けた機器識別情報に対応する座標および設置場所により機器の位置を特定し、特定した場所に指定入力を受け付けた機器識別情報に対応する機器を配置することで、機器管理地図を作成し、管理地図記憶部１３０に登録する。従って、利用者は、機器識別情報の指定入力を入力することによって、地図情報に各機器の地理情報を関連付けた機器管理地図の作成作業を簡便に行うことができる。
【００４３】
次に、本実施の形態の機器管理システムによる機器管理地図の更新処理について説明する。まず、ＭＦＰにおける機器管理地図の更新処理の流れを説明する。図６は、実施の形態にかかるＭＦＰにおける機器管理地図の更新処理の流れを示すフローチャートである。なお、図６では、ＭＦＰ２００について説明するが、プリンタ３００およびプロジェクタ４００における機器管理地図の更新処理も同様である。
【００４４】
まず、位置情報取得部２０１は、ＭＦＰ２００の電源が投入されたか否かを判断し（ステップＳ２０）、電源が投入されていない場合（ステップＳ２０：Ｎｏ）、投入されるまで待機する。一方、電源が投入された場合（ステップＳ２０：Ｙｅｓ）、位置情報取得部２０１は、ＭＦＰ２００の位置情報を取得する（ステップＳ２１）。ここで、位置情報における座標は、ＧＰＳなどから取得され、位置情報における機器の設置場所は機器管理を行う管理者などに入力されることで取得される。
【００４５】
位置情報が取得されると、判断部２０２は、位置情報記憶部２１０に記憶されている位置情報と、取得された位置情報とが同じか否かを判断する（ステップＳ２２）。両位置情報が同じ場合（ステップＳ２２：Ｙｅｓ）、判断部２０２は、ＭＦＰ２００の位置情報が変更されていないと判断し、処理を終了する。
【００４６】
一方、両位置情報が異なる場合（ステップＳ２２：Ｎｏ）、判断部２００は、ＭＦＰ２００の位置情報が変更されたと判断し、位置情報取得部２０１は、取得した位置情報を位置情報記憶部２１０に保存する（ステップＳ２３）。
【００４７】
そして、送信部２０３は、位置情報が変更されたと判断されると、機器の位置が変更した旨を示す変更情報、位置情報（変更された位置情報）、ＭＡＣアドレス、およびＩＰアドレスを機器管理サーバ１００に送信する（ステップＳ２４）。
【００４８】
次に、機器管理サーバにおける機器管理地図の更新処理の流れを説明する。図７は、実施の形態にかかる機器管理サーバにおける機器管理地図の更新処理の流れを示すフローチャートである。
【００４９】
受信部１０１は、変更情報、位置情報、ＭＡＣアドレス、およびＩＰアドレスを、機器であるＭＦＰ２００から受信すると（ステップＳ３０）、受信した位置情報を地理情報記憶部１２０の地理ＤＢに保存する（ステップＳ３１）。
【００５０】
次に、登録制御部１０５は、管理地図記憶部１３０から機器管理地図を取得し（ステップＳ３２）、取得した機器管理地図を、受信した位置情報（変更された位置情報）により更新し（ステップＳ３３）、更新された機器管理地図を管理地図記憶部１３０に登録する（ステップＳ３４）。
【００５１】
このように、本実施の形態の機器管理システムでは、管理対象の機器の設置された場所が変わった場合でも、機器が取得した位置情報および機器の設置場所が変更された旨の変更情報などを機器管理サーバに送信することで、機器管理地図における機器の位置を更新して登録する。従って、機器管理地図の更新作業を簡便に行うことができ、機器管理地図の精確性と利便性を向上させることができる。
【００５２】
次に、実施の形態にかかる機器管理サーバ１００のハードウェア構成について図８を用いて説明する。図８は、実施の形態にかかる機器管理サーバのハードウェア構成を示す説明図である。
【００５３】
実施の形態にかかる機器管理サーバ１００は、ＣＰＵ（Central  Processing  Unit）５１などの制御装置と、ＲＯＭ（Read  Only  Memory）５２やＲＡＭ（Random  Access  Memory）５３などの記憶装置と、ネットワークに接続して通信を行う通信Ｉ／Ｆ５４と、ＨＤＤ、ＣＤ（Compact  Disc）ドライブ装置などの外部記憶装置と、ディスプレイ装置などの表示装置と、キーボードやマウスなどの入力装置と、各部を接続するバス６１を備えており、通常のコンピュータを利用したハードウェア構成となっている。
【００５４】
実施の形態にかかる機器管理サーバ１００で実行される機器管理プログラムは、インストール可能な形式又は実行可能な形式のファイルでＣＤ−ＲＯＭ（Compact  Disk  Read  Only  Memory）、フレキシブルディスク（ＦＤ）、ＣＤ−Ｒ（Compact  Disk  Recordable）、ＤＶＤ（Digital  Versatile  Disk）等のコンピュータで読み取り可能な記録媒体に記録されてコンピュータプログラムプロダクトとして提供される。
【００５５】
また、実施の形態にかかる機器管理サーバ１００で実行される機器管理プログラムを、インターネット等のネットワークに接続されたコンピュータ上に格納し、ネットワーク経由でダウンロードさせることにより提供するように構成してもよい。また、実施の形態にかかる機器管理サーバ１００で実行される機器管理プログラムをインターネット等のネットワーク経由で提供または配布するように構成してもよい。
【００５６】
また、実施の形態の機器管理プログラムを、ＲＯＭ等に予め組み込んで提供するように構成してもよい。
【００５７】
実施の形態にかかる機器管理サーバ１００で実行される機器管理プログラムは、上述した各部（受信部１０１、入力受付部１０２、地図情報取得部１０３、地理情報取得部１０４、登録制御部１０５）を含むモジュール構成となっており、実際のハードウェアとしてはＣＰＵ５１（プロセッサ）が上記記憶媒体から機器管理プログラムを読み出して実行することにより上記各部が主記憶装置上にロードされ、上述した各部が主記憶装置上に生成されるようになっている。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１００  機器管理サーバ
１０１  受信部
１０２  入力受付部
１０３  地図情報取得部
１０４  地理情報取得部
１０５  登録制御部
１１０  地図情報記憶部
１２０  地理情報記憶部
１３０  管理地図記憶部
２００  ＭＦＰ
２０１  位置情報取得部
２０２  判断部
２０３  送信部
２０４  画像形成部
２１０  位置情報記憶部
３００  プリンタ
４００  プロジェクタ
【先行技術文献】
【特許文献】
【００６０】
【特許文献１】特開２００１−１４２６６５号公報
【図１】
2014056284.tif 000003
【図２】
2014056284.tif 000004
【図３】
2014056284.tif 000005
【図４】
2014056284.tif 000006
【図５】
2014056284.tif 000007
【図６】
2014056284.tif 000008
【図７】
2014056284.tif 000009
【図８】
2014056284.tif 000010